(57)【特許請求の範囲】
【請求項１】
互いに直交し、中心周波数の前後方向に昇順に番号付けされた複数のサブキャリアをそれぞれ持つ、同期用シンボルを含む周波数分割多重（ＯＦＤＭ）シンボルの信号を送信する無線通信装置において、
前記同期用シンボルの±Ｎ＊ｋ（Ｎ：２以上の整数、ｋ＝１，２，．．．）番目の第１サブキャリアに定常的に生成される第１信号を割り当て、前記同期用シンボルのうちの中心のサブキャリアを除く他の第２サブキャリアの一部に、前記第１信号の総電力よりも小さい総電力をもつ第２信号を前記サブキャリア番号の絶対値がある一定値より大きいサブキャリアに優先的に割り当てる割当部を具備する無線通信装置。
【請求項２】
前記割当部は、前記第２信号として非定常的に生成される信号を前記第２サブキャリアの一部に割り当てる請求項１記載の無線通信装置。
【請求項３】
前記割当部は、前記第２信号として定常的に生成される信号を前記第２サブキャリアの一部に割り当てる請求項１記載の無線通信装置。
【請求項４】
互いに直交し、中心周波数の前後方向に昇順に番号付けされた複数のサブキャリアをそれぞれ持つ、同期用シンボルを含む周波数分割多重（ＯＦＤＭ）シンボルの信号を送信する無線通信装置において、
（ａ）前記同期用シンボルの±Ｎ＊ｋ（Ｎ：２以上の整数、ｋ＝１，２，．．．）番目の第１サブキャリアに定常的に生成される第１信号を割り当て、（ｂ）前記同期用シンボルのうちの中心のサブキャリアを除く他の第２サブキャリアの少なくとも一部に、前記第１信号の総電力よりも小さい総電力をもつ第２信号として非定常的に生成される信号を前記サブキャリア番号の絶対値がある一定値より小さいサブキャリアに優先的に割り当て、前記第２信号として定常的に生成される信号を前記サブキャリア番号の絶対値が前記一定値より大きいサブキャリアに優先的に割り当てる割当部を具備する無線通信装置。
【請求項５】
前記割当部は、前記非定常的に生成される信号として生起頻度が閾値未満の信号を用いる請求項２または４記載の無線通信装置。
【請求項６】
前記割当部は、前記非定常的に生成される信号として前記無線通信装置から他の無線通信装置を呼び出すためのページング信号を用いる請求項２または４記載の無線通信装置。
【請求項７】
前記割当部は、前記定常的に生成される信号として情報信号及び既知信号の少なくとも一方を用いる請求項１、３または４のいずれか１項記載の無線通信装置。
【請求項８】
互いに直交し、中心周波数の前後方向に昇順に番号付けされた複数のサブキャリアを有する周波数分割多重（ＯＦＤＭ）の同期用シンボルの各サブキャリアに信号を割り当てる方法であって、
前記同期用シンボルの±Ｎ＊ｋ（Ｎ：２以上の整数、ｋ＝１，２，．．．）番目の第１サブキャリアに定常的に生成される第１信号を割り当て、前記同期用シンボルのうちの中心のサブキャリアを除く他の第２サブキャリアの一部に、前記第１信号の総電力よりも小さい総電力をもつ第２信号を前記サブキャリア番号の絶対値がある一定値より大きいサブキャリアに優先的に割り当てることを特徴とする同期用シンボルにおける信号−サブキャリア割り当て方法。
【請求項９】
互いに直交し、中心周波数の前後方向に昇順に番号付けされた複数のサブキャリアを有する周波数分割多重（ＯＦＤＭ）の同期用シンボルの各サブキャリアに信号を割り当てる方法であって、
（ａ）前記同期用シンボルの±Ｎ＊ｋ（Ｎ：２以上の整数、ｋ＝１，２，．．．）番目の第１サブキャリアに定常的に生成される第１信号を割り当て、（ｂ）前記同期用シンボルのうちの中心のサブキャリアを除く他の第２サブキャリアの少なくとも一部に、前記第１信号の総電力よりも小さい総電力をもつ第２信号として非定常的に生成される信号を前記サブキャリア番号の絶対値がある一定値より小さいサブキャリアに優先的に割り当て、前記第２信号として定常的に生成される信号を前記サブキャリア番号の絶対値がある一定値より大きいサブキャリアに優先的に割り当てることを特徴とする同期用シンボルにおける信号−サブキャリア割り当て方法。
【請求項１０】
請求項１または４記載の無線通信装置から送信されるＯＦＤＭシンボルの信号を受信する受信部と、
受信されたＯＦＤＭシンボルの信号に含まれる前記同期用シンボルの信号を用いて前記無線通信装置との間の同期処理を行う同期処理ユニットとを具備する無線通信装置。
【発明の詳細な説明】
【技術分野】
【０００１】
この発明は、直交周波数分割多重（ＯＦＤＭ）を用いる無線通信装置及び同期用シンボルにおけるサブキャリアへの信号割り当て方法に関する。
【背景技術】
【０００２】
直交周波数分割多重（ＯＦＤＭ）により信号を多重して送信する無線通信装置においては、ＯＦＤＭシンボルの一つとしてタイミング同期及び周波数同期を行うための同期用シンボルが送信される。タイミング同期は、送信側と受信側との間でシンボルタイミングを同期させる処理である。周波数同期は、送信側と受信側との間でキャリア周波数を同期させる処理である。同期用シンボルは、ＯＦＤＭトレーニングシンボルとも呼ばれる。
【０００３】
非特許文献１には、ＯＦＤＭトレーニングシンボルの±Ｎ＊ｋ（Ｎ：２以上の整数、ｋ＝１，２，．．．）番目のサブキャリアに定常的に信号を割り当て、他のサブキャリアにはヌルを割り当てることが記載されている。非特許文献１に記載されたＯＦＤＭトレーニングシンボルに逆高速フーリエ変換（ＩＦＦＴ）を施すことによって得られる時間波形は、Ｎ回同じ波形が繰り返される。このような繰り返し波形は、シンボルタイミングの同期及びキャリア周波数の同期をとるために有効な信号であることが知られている。
【非特許文献１】IEEE Std 802.11a-1999 (supplement to IEEE Std 802.11-1999), p.12, 17.3.3 PLCP preamble (SYNC), Figure 110-OFDM training structure
【発明の開示】
【発明が解決しようとする課題】
【０００４】
非特許文献１に記載されたＯＦＤＭトレーニングシンボルでは、±Ｎ＊ｋ（Ｎ：２以上の整数、ｋ＝１，２，．．．）番目のサブキャリアにのみ信号を割り当てているため、一つのＯＦＤＭシンボルに含まれる全サブキャリアの約１−（１／Ｎ）の割合のサブキャリアは使用されない。例えば、Ｎが２の場合には全サブキャリアの約５０％のサブキャリアが使用されず、Ｎが４場合には全サブキャリアの約７５％のサブキャリアが使用されないことになる。このように従来の技術では、ＯＦＤＭトレーニングシンボルにおけるサブキャリア利用効率が低い。
【０００５】
本発明は、同期処理に有効な繰り返し波形を維持しつつ、サブキャリアの利用効率を向上させることを目的とする。
【課題を解決するための手段】
【０００６】
本発明の一観点によると、同期用シンボルの±Ｎ＊ｋ（Ｎ：２以上の整数、ｋ＝１，２，．．．）番目の第１サブキャリアに定常的に生成される第１信号を割り当て、同期用シンボルのうちの中心のサブキャリアを除く他の第２サブキャリアの少なくとも一部に、前記第１信号の総電力よりも小さい総電力をもつ第２信号を割り当てる割当部を具備する無線通信装置を提供する。
【発明の効果】
【０００７】
本発明によると、同期用シンボルにおいて上記のような信号−サブキャリア割り当てを行うことによって、タイミング同期及び周波数同期の処理に有効な繰り返し波形を維持しつつ、第２サブキャリアにヌルを割り当てる従来方式に比較してサブキャリアの利用効率が向上する。
【発明を実施するための最良の形態】
【０００８】
以下、図面を参照しながら本実施の形態について詳細に説明する。  
（送信機について）  
図１は、本発明の一実施形態に係る無線通信装置の送信側（送信機）の構成を示している。送信すべき信号の信号源として、定常信号生成器１０１と低生起信号生成器１０２が設けられている。定常信号生成器１０１により生成される定常信号及び低生起信号生成器１０２により生成される低生起信号は、信号−サブキャリア割当部１０３に入力される。信号−サブキャリア割当部１０３では、後述する割り当て方式に従ってサブキャリアへの信号の割り当て（以下、“信号−サブキャリア割り当て”という）が行われ、ＯＦＤＭシンボルが生成される。
【０００９】
信号−サブキャリア割当部１０３から出力されるＯＦＤＭシンボルは、逆高速フーリエ変換器（ＩＦＦＴ）１０４によって時間波形、すなわち時間領域の信号に変換され、さらに並直列変換器（Ｐ／Ｓ）１０５によってシリアル信号に変換される。並直列変換器１０５からの出力信号は、ＧＩ付加部１０６によりガードインターバルが付加された後、ディジタル−アナログ変換器（ＤＡＣ）１０７によってベースバンドアナログ信号に変換される。ベースバンドアナログ信号は無線部１０８によってキャリア周波数帯のアナログ信号に変換され、さらに電力増幅がなされた後、アンテナ１０９に供給される。これによって、アンテナ１０９からＯＦＤＭ信号が送信される。
【００１０】
信号−サブキャリア割当部１０３では、ＯＦＤＭシンボルのうち特にタイミング同期及び周波数同期を行うための同期用シンボル（ＯＦＤＭトレーニングシンボルともいう）を生成する際、以下のように同期用シンボルの各サブキャリアに信号を割り当てる。すなわち、同期用シンボルの±Ｎ＊ｋ（Ｎ：２以上の整数、ｋ＝１，２，．．．）番目のサブキャリア（第１サブキャリア）に第１信号を割り当て、同期用シンボルの±Ｎ＊ｋ以外のサブキャリア（第２サブキャリア）に第２信号を割り当てる。ここで、第１サブキャリアへの第１信号の割り当てと、第２サブキャリアへの第２信号の割り当ては、第１サブキャリアに割り当てられた信号の総電力よりも第２サブキャリアに割り当てられた信号の総電力の方が小さくなるように定められる。なお、一般的にＯＦＤＭでは中心（ゼロ番目）のサブキャリアには信号を割り当てないので、本実施形態においても中心のサブキャリアには信号を割り当てない。。
【００１１】
同期用シンボルにおいて、上記のような信号−サブキャリア割り当てを行うことによって、以下に詳しく述べるようにタイミング同期及び周波数同期の処理に有効な繰り返し波形を維持しつつ、サブキャリアの利用効率を向上させることができる。
【００１２】
（第１の割り当て方式）  
まず、信号−サブキャリア割当部１０３での第１の割り当て方式について説明する。図２〜図４は、第１の割り当て方式の基本例を示している。第１の割り当て方式では、基本的に±Ｎ＊ｋ番目の第１サブキャリアに割り当てられる第１信号として定常信号Ｓを用い、±Ｎ＊ｋ番目以外の第２サブキャリアに割り当てられる第２信号として低生起信号Ｌを用いる。ここで、定常信号とは定常的に生成される信号であり、±Ｎ＊ｋ番目の第１サブキャリアには常に何らかの電力値を有する信号が割り当てられている。低生起信号とは非定常信号、すなわち生起頻度の低い信号を指す。信号が生起されないときはサブキャリアにヌルが割り当てられている。
【００１３】
図２及び図４はＮ＝２の例を示し、図３はＮ＝３の例を示している。図２〜図４に示されるように、各サブキャリアは周波数軸上でＯＦＤＭ帯域の中心周波数（０）の前後方向に、昇順に番号付けされている。ＯＦＤＭ帯域とは、ＯＦＤＭシンボルを構成する全サブキャリアの周波数帯域をいう。ＯＦＤＭ帯域の中心周波数のサブキャリアは、実際には使用されないサブキャリアであるため、以下では特に考慮しない。一つのＯＦＤＭシンボル（同期用シンボル）内の有効なサブキャリア数は、図２及び図４では２０個、図３では３２個であるが、基地局がカバーするセル半径が数ｋｍ程度のシステムでは、サブキャリア数が１０００以上というような非常に大きい数になる場合もある。
【００１４】
図２及び図３の例では、第１サブキャリアの全てに定常信号Ｓが割り当てられ、第２サブキャリアの全てに低生起信号Ｌが割り当てられている。図４の例では、第１サブキャリアの全てに定常信号Ｓが割り当てられ、第２サブキャリアの一部に低生起信号Ｌが割り当てられている。低生起信号Ｌとしては、例えばページング信号やランダムアクセス信号などが挙げられる。第２サブキャリアのうち、割り当てられる低生起信号Ｌが実際に生起していないサブキャリアには、ヌルが挿入される。低生起信号Ｌが割り当てられる第２サブキャリアの全て対して、割り当てられるべき信号が生起しなかった場合、第２サブキャリアの全てにヌルが割り当てられるため、生成される同期用シンボルは例えば非特許文献１に示された従来方式のＯＦＤＭトレーニングシンボルと同じになる。
【００１５】
第２サブキャリアの全てに低生起信号Ｌが割り当てられる図２及び図３の例によると、ＯＦＤＭ帯域の中のどの部分帯域でみても、確率的に第１サブキャリアに割り当てられる信号の総電力よりも第２サブキャリアに割り当てられる信号の総電力の方が小さくなる。この結果、同期用シンボルの時間波形（同期用シンボルをＩＦＦＴにより時間領域の信号に変換した波形）は、繰り返し波形となる。すなわち、同期用シンボルの時間波形は受信側において受信する帯域によらず繰り返し波形となる。また図２及び図３の同期用シンボルは、第２サブキャリアの全てに低生起信号Ｌが割り当てられているため、第２サブキャリアの全てにヌルが割り当てられる従来方式と比べてサブキャリアの利用効率が向上する。
【００１６】
一方、第２サブキャリアの一部に低生起信号Ｌが割り当てられる図４の例においては、図２の例と比べてサブキャリア利用効率は若干低下するものの、従来方式と比べて高いサブキャリア利用効率を有する。また、受信側においてフィルタにより周波数帯域を限定して受信することで、図２の例よりも精度の高い繰り返し波形を受信することができる。具体的には、例えば図４の第２サブキャリアのうち低生起信号Ｌが割り当てられていない−５番目のサブキャリアから５番目のサブキャリアまでの帯域を通過帯域とするフィルタを用いて受信信号の帯域制限を行うことにより、繰り返し波形を得ることができる。
【００１７】
（受信機について）  
図５は、図１の送信側（送信機）に対応する受信側（受信機）の構成を示している。アンテナ２０１によって受信された信号は、無線部２０２によって増幅され、かつベースバンドアナログ信号に変換される。ベースバンドアナログ信号は、アナログ−ディジタル変換器（ＡＤＣ）２０３によってベースバンドディジタル信号に変換される。ベースバンドディジタル信号は、フィルタ２０４、２０５及び２０６によってフィルタリング、すなわち帯域制限がなされる。
【００１８】
フィルタ２０６からの出力信号は、ＧＩ除去部２１０によりガードインターバルが除去された後、直並列変換器（Ｓ／Ｐ）２１１によりパラレル信号に変換される。直並列変換器２１１からの出力信号は、高速フーリエ変換器（ＦＦＴ）２１２により周波数領域の信号に変換され、データ復調部２１３に入力される。データ復調部２１３により復調がなされることによって、ＯＦＤＭ信号により送信されたデータが再生される。
【００１９】
一方、フィルタ２０５及び２０６からの出力信号は、以下に述べる同期処理ユニットに入力される。すなわち、フィルタ２０５からの出力信号はタイミング同期検出部２０８に入力される。タイミング同期検出部２０８は、同期用シンボルの信号、すなわち同期用シンボルの期間にフィルタ２０５から入力される信号を用いてシンボルタイミングを検出する。具体的には、タイミング同期検出部２０８は同期用シンボルの繰り返し波形間の相関値を求め、相関値のピーク位置を使ってシンボルタイミングを検出する。同期用シンボルに既知信号が含まれている場合には、既知信号を使ったマッチドフィルタの出力を使うことによってもシンボルタイミングを検出することができる。
【００２０】
タイミング同期検出部２０８により検出されたシンボルタイミングは、バッファ２０７及び周波数同期検出部２０９に与えられる。バッファ２０７では、タイミング同期の開始と共にデータのバッファリングを開始する。バッファ２０７には、フィルタ２０４からの出力信号が入力される。バッファ２０７は、フィルタ２０４からの入力信号の過去のある一定期間のデータをバッファリングする。一定期間とは、例えば同期用シンボル長でもよいし、処理遅延などの分の余裕を持たせて同期用シンボル長よりも少し長い時間であってもよい。
【００２１】
タイミング同期検出部２０８により検出されたシンボルタイミングでバッファ２０７内のデータの更新が停止されると共に、バッファ２０７に蓄えられたデータから同期用シンボルが抜き出されて周波数同期検出部２０９に入力される。周波数同期検出部２０９は、バッファ２０７から入力された同期用シンボルを使ってキャリア周波数のオフセットの検出（周波数オフセット量の推定）を行う。具体的には、周波数同期検出部２０９は同期用シンボルの中から繰り返し波形を抜き出し、繰り返し波形間の相関をとることによりキャリア周波数のオフセット量を推定する。
【００２２】
さらに、タイミング同期検出部２０８により検出されたシンボルタイミング及び周波数同期検出部２０９により検出されたキャリア周波数のオフセットの情報は、図示していない各部に供給される。
【００２３】
次に、フィルタ２０４の通過帯域ＰＢ１及びフィルタ２０５の通過帯域ＰＢ２について説明する。周波数同期検出部２０９においては、入力信号として繰り返し波形が必要である。一方、タイミング同期検出部２０８においては、既知信号が挿入されている場合、必ずしも繰り返し波形を必要としない。
【００２４】
受信された同期用シンボルが図２に示した割り当て方式によって生成された同期用シンボルの場合、いずれの帯域においても繰り返し波形が得られる。従って、周波数同期検出部２０９の入力側に挿入されるフィルタ２０４の通過帯域ＰＢ１及びタイミング同期検出部２０８の入力側に挿入されるフィルタ２０５の通過帯域ＰＢ２は、共に図２中に示されるように同期用シンボルの信号全体にわたる帯域でよい。
【００２５】
これに対し、受信された同期用シンボルが図４に示した割り当て方式によって生成された同期用シンボルである場合、精度のよい繰り返し波形を生成するためには、同期用シンボルの信号の中心の帯域だけを切り出す必要がある。周波数同期検出部２０９においては繰り返し波形が必要であるため、フィルタ２０４の通過帯域ＰＢ１を図４中に示されるようにＯＦＤＭ帯域の中心周波数付近に限定された帯域となるようにすればよい。受信された同期用シンボルが図４に示した割り当て方式によって生成された同期用シンボルであった場合においても、図２に示した場合と同程度の繰り返し波形の精度でよい場合には、図２に示す帯域を用いてもよい。
【００２６】
フィルタ２０４及び２０５としては、例えば図４中に示したように通過帯域ＰＢ１及びＰＢ２が同じである同一特性の場合には、一つのフィルタを共有してもよい。同期用シンボルの信号全体にわたる帯域をタイミング同期検出部２０８及び周波数同期検出部２０９に用いるような場合は、フィルタ２０４及び２０５を省略することもできる。電源制御部２００は、無線部２０２及びディジタル部の一部の電源のオン／オフを制御するために設けられている。
【００２７】
図６は、図１をより具体化した送信機を示している。図６に示されるように、定常信号生成器１０１は情報信号生成器１１１と既知信号生成器１１２によって構成される。図２〜図４における定常信号Ｓは、受信側にとって既知の情報であるかどうかによって２つに分けられる。すなわち、情報が既知の定常信号を既知信号と呼び、既知でない定常信号を情報信号と呼ぶ。情報信号は情報信号生成器１１１により生成され、既知信号は既知信号生成器１１２により生成される。
【００２８】
（第１の割り当て方式の具体例）
以下、第１の割り当て方式の具体例について説明する。図７〜図１６は、Ｎ＝２の場合の図２または図４における定常信号Ｓを既知信号Ｐと情報信号Ｄに区別した場合の同期用シンボルにおける信号−サブキャリア割り当ての例を示している。既知信号Ｐは図６の既知信号生成器１１２により生成され、情報信号Ｄは図６の情報信号生成器１１１により生成される。
【００２９】
図７及び図８は、それぞれ図２及び図４を具体化した例であり、±Ｎ＊ｋ番目の第１サブキャリアに割り当てられる全ての定常信号を既知信号Ｐとしている。同様に、図９及び図１０はそれぞれ図２及び図４を具体化した例であり、±Ｎ＊ｋ番目の第１サブキャリアに割り当てられる全ての定常信号を情報信号Ｄとしている。
【００３０】
同様に、図１１及び図１２はそれぞれ図２及び図４を具体化した例であり、±Ｎ＊ｋ番目の第１サブキャリアに割り当てられる定常信号の一部を既知信号Ｐとし、他の一部を情報信号Ｄとしている。
【００３１】
図１３〜図１６は、図４を具体化した他の例を示している。図１３においては、第１サブキャリアに割り当てられた定常信号のうち、低生起信号Ｌが割り当てられていない第２サブキャリアに近接する定常信号を情報信号Ｄとし、それ以外の定常信号を既知信号Ｐとしている。
【００３２】
図１４においては、第１サブキャリアに割り当てられた定常信号のうち、低生起信号Ｌが割り当てられていない第２サブキャリアに近接するサブキャリアの定常信号を既知信号Ｐとし、それ以外の定常信号を情報信号Ｄとしている。
【００３３】
図１５においては、第１サブキャリアに割り当てられた定常信号のうち、低生起信号Ｌが割り当てられていない第２サブキャリアに近接する定常信号の一部を既知信号Ｐとし、それ以外の定常信号を情報信号Ｄとしている。
【００３４】
図１６においては、第１サブキャリアに割り当てられた定常信号のうち、低生起信号Ｌが割り当てられていない第２サブキャリアに近接していない定常信号の一部を既知信号Ｐとし、それ以外の定常信号を情報信号Ｄとしている。
【００３５】
（第２の割り当て方式）  
次に、信号−サブキャリア割当部１０３での第２の割り当て方式について説明する。図１７〜図１９は、第２の割り当て方式の基本例を示している。第２の割り当て方式では、基本的に±Ｎ＊ｋ番目の第１サブキャリアに割り当てられる第１信号及び±Ｎ＊ｋ番目以外の第２サブキャリアに割り当てられる第２信号として定常信号Ｌを用いる。但し、第２の割り当て方式では常に第２サブキャリアのうち一部にのみ定常信号Ｌが割り当てられる。
【００３６】
図１７及び図１８はそれぞれＮ＝２及びＮ＝４の例であり、第２サブキャリアのうちＯＦＤＭ帯域の外側、すなわちサブキャリア番号のある一定値より絶対値が大きいサブキャリアのみに定常信号Ｓを割り当てている。図１９はＮ＝２のもう一つの例であり、第２サブキャリアのうち一部の連続した領域に定常信号Ｓを割り当てている。ここで「ある一定値」は例えば予めシステムで定められた値とする。他にも、システムが複数の帯域幅をサポートしている場合は、複数の帯域幅のうちの最大でないいずれかの帯域幅に対応するサブキャリア番号を一定値として用いてもよい。以下同様である。
【００３７】
図１７〜図１９の例によると、ＯＦＤＭ帯域の部分帯域を、フィルタを用いて切り出すことで、第１サブキャリアに割り当てられる信号の総電力よりも第２サブキャリアに割り当てられる信号の総電力の方が小さくなり、結果として同期用シンボルの時間波形は繰り返し波形となる。例えば図１７の例では、受信側において−５番目のサブキャリアから５番目のサブキャリアまでの帯域を通過帯域とするフィルタを用いて信号を帯域制限することにより、繰り返し波形を得ることができる。図１９の例では、−５番目のサブキャリアよりも右側の帯域を通過帯域とするフィルタを用いて信号を帯域制限することにより、繰り返し波形を得ることができる。
【００３８】
さらに、図１７〜図１９では第２サブキャリアの一部に低生起信号Ｌが割り当てられているため、第２サブキャリアの全てにヌルが割り当てられる従来方式と比べてサブキャリアの利用効率が向上する。
【００３９】
（第２の割り当て方式の具体例）  
図２０〜図２４は、Ｎ＝２の場合の図１７または図１９における定常信号Ｓを既知信号Ｐと情報信号Ｄに区別した場合の同期用シンボルにおける信号−サブキャリア割り当てを示している。既知信号Ｐは図６の既知信号生成器１１２により生成され、情報信号Ｄは図６の情報信号生成器１１１により生成される。
【００４０】
図２０においては、第１サブキャリアに割り当てられる定常信号を既知信号Ｐとし、第２サブキャリアの一部に割り当てられる定常信号を情報信号Ｄとしている。
【００４１】
図２１においては、全ての定常信号、すなわち第１サブキャリアに割り当てられる定常信号及び第２サブキャリアの一部に割り当てられる定常信号を情報信号Ｄとしている。
【００４２】
図２２においては、第１サブキャリアに割り当てられる定常信号のうちの一部を既知信号Ｐとし、それ以外の定常信号、すなわち第１サブキャリアに割り当てられる定常信号の他の一部と第２サブキャリアの一部に割り当てられる定常信号を情報信号Ｄとしている。
【００４３】
図２３においては、第１サブキャリアに割り当てられる定常信号のうち特にＯＦＤＭ帯域の内側の領域、すなわちサブキャリア番号の絶対値がある一定値より小さいサブキャリアの定常信号を既知信号Ｐとし、それ以外の定常信号、すなわち第１サブキャリアに割り当てられる定常信号の他の一部と第２サブキャリアの一部に割り当てられる定常信号を情報信号Ｄとしている。
【００４４】
図２４においては、第１サブキャリアに割り当てられた定常信号のうちＯＦＤＭ帯域の内側、すなわちサブキャリア番号の絶対値がある一定値より小さいサブキャリアの一部の定常信号を既知信号Ｐとし、それ以外の定常信号、すなわち第１サブキャリアに割り当てられる定常信号の他の一部と第２サブキャリアの一部に割り当てられる定常信号を情報信号Ｄとしている。
【００４５】
（第３の割り当て方式）  
次に、信号−サブキャリア割当部１０３での第３の割り当て方式について説明する。第３の割り当て方式では、±Ｎ＊ｋ（Ｎ：２以上の整数、ｋ＝１，２，．．．）番目の第１サブキャリアの全てに定常信号Ｓを割り当て、これ以外の第２サブキャリアの一部に定常信号Ｓを割り当て、さらに第２サブキャリアの残りの一部または全てに低生起信号Ｌを割り当てる。
【００４６】
図２５及び図２６は第３の割り当て方式の基本例であり、それぞれＮ＝２及びＮ＝３の場合の例である。図２５及び図２６の例では、第２サブキャリアのうちＯＦＤＭ帯域の外側すなわちサブキャリア番号の絶対値がある一定値より大きいサブキャリアの一部に定常信号Ｓを割り当て、残りの内側すなわちサブキャリア番号の絶対値がある一定値より小さいサブキャリアに低生起信号Ｌを割り当てている。
【００４７】
図２５及び図２６の例によると、第１及び第２の割り当て方式と同様にＯＦＤＭ帯域のうちのどの部分帯域でみても、確率的に第１サブキャリアに割り当てられる信号の総電力よりも第２サブキャリアに割り当てられる信号の総電力の方が小さくなり、結果として同期用シンボルの時間波形は繰り返し波形となる。さらに、図２５及び図２６の例では受信側において、ＯＦＤＭ帯域のうち低生起信号Ｌが割り当てられた内側の帯域を通過帯域とするフィルタを用いて信号を帯域制限することにより、全帯域を受信した場合よりも精度のよい繰り返し波形を得ることができる。
【００４８】
さらに、図２５及び図２６では第２サブキャリアの全てに定常信号Ｓまたは低生起信号Ｌが割り当てられているため、第２サブキャリアの全てにヌルが割り当てられる従来方式と比べてサブキャリアの利用効率が向上する。
【００４９】
（第３の割り当て方式の具体例）  
図２７〜図３２は、Ｎ＝２の場合の図２５における定常信号Ｓを既知信号Ｐと情報信号Ｄに区別した場合の同期用シンボルにおける信号−サブキャリア割り当てを示している。既知信号Ｐは図６の既知信号生成器１１２により生成され、情報信号Ｄは図６の情報信号生成器１１１により生成される。
【００５０】
図２７の例では、±Ｎ＊ｋ番目の第１サブキャリアに割り当てられた定常信号を既知信号Ｐとし、それ以外の第２サブキャリアに割り当てられた定常信号を情報信号Ｄとしている。
【００５１】
図２８においては、第１サブキャリア及び第２サブキャリアに割り当てられた全ての定常信号を情報信号Ｄとしている。
【００５２】
図２９においては第１サブキャリアに割り当てられた定常信号の一部を既知信号Ｐとし、それ以外の定常信号、すなわち第１サブキャリアのうち既知信号Ｐが割り当てられていないサブキャリアに割り当てられた定常信号及び第２サブキャリアに割り当てられた定常信号を情報信号Ｄとしている。
【００５３】
図３０においては、第１サブキャリアに割り当てられた定常信号のうち、第２サブキャリアり割り当てられた低生起信号Ｌに近接する信号を既知信号Ｐとし、それ以外の定常信号を情報信号Ｄとしている。
【００５４】
図３１においては、第１サブキャリアに割り当てられた定常信号のうち、第２サブキャリアに割り当てられた低生起信号Ｌに近接する信号の一部を既知信号Ｐとし、それ以外の信号を情報信号Ｄとしている。
【００５５】
図３２においては、第１サブキャリアに割り当てられた定常信号のうち、第２サブキャリアに割り当てられた低生起信号Ｌに近接しない信号を既知信号Ｐとし、それ以外の信号を情報信号Ｄとしている。
【００５６】
図３３は、本発明の一実施形態に係る送信機の変形例を示しており、図１の送信機に生起頻度制御部１１０が追加されている。図２〜図４、図７〜図１６、図２５〜図３２に示した信号−サブキャリア割り当て例では、±Ｎ＊ｋ番目以外の第２サブキャリアの一部または全てに低生起信号Ｌを挿入している。
【００５７】
生起頻度制御部１１０は、このように第２サブキャリアの一部または全てに低生起信号Ｌが割り当てられた同期用シンボルにおいて、低生起信号生成器１０２によって生成される低生起信号Ｌの生起頻度をある閾値未満になるように制御する。すなわち、生起頻度制御部１１０から低生起信号の生起頻度の上限を与える閾値が低生起信号生成器１０２に与えられ、低生起信号生成器１０２では与えられた閾値より小さくなるように制御された生起頻度に従って低生起信号を生成する。
【００５８】
生起頻度制御部１１０によって与えられる閾値は、大きく分けて以下の２つの基準をもとに算出される。第１の基準としては、±Ｎ＊ｋ番目の第１サブキャリアのうち信号が割り当てられているサブキャリアの数と、±Ｎ＊ｋ番目以外の第２サブキャリアのうち信号が割り当てられているサブキャリアの数との比を用いる。例えば、図２の例では第１サブキャリアの数と第２サブキャリアの数が等しい、すなわち上記の比が１である。そこで、生起頻度制御部１１０では閾値を１として、低生起信号Ｌの生起頻度を１未満となるように制御する。一方、図３の例では第１サブキャリアの数が第２サブキャリアの数の約半分であり、上記の比は約０．５である。従って、生起頻度制御部１１０は閾値を約０．５として、低生起信号Ｌの生起頻度を約０．５未満となるように制御する。
【００５９】
生起頻度制御部１１０によって与えられる閾値に関する第２の基準は、伝送路歪に対するマージンである。先に示した第１の基準は理論的な限界を表しているが、実際の無線通信環境では送信信号が伝送路において伝送路歪と呼ばれる様々な歪を受け、その歪の影響によって繰り返し波形がくずれてしまう場合がある。そのため、この歪み分を考えたマージンを持たせる必要がある。例えば、図２の例では伝送路歪がない状態では第１の基準に基づいて生起頻度を１未満にすればよいが、伝送路歪みがある場合を考慮してマージンを持たせ、生起頻度を０．３未満にするといったことが考えられる。このように生起頻度を制限することにより、伝送路歪がある状況においても受信側で繰り返し波形を正しく抽出することができる。
【００６０】
（低生起信号をページング信号とした場合の例）  
次に、低生起信号Ｌがページング信号である場合について具体的に説明する。ページング信号は、セルラーシステムなどにおいて基地局が端末を呼び出す際などに用いられる信号である。ページング信号を検出した端末は、基地局から呼び出しがあったとみなして通信を開始する。
【００６１】
図２に示したような信号−サブキャリア割り当てを有する同期用シンボルの例では、奇数番目のサブキャリア（第２サブキャリア）を各ユーザに割り当て、各ユーザは割り当てられたサブキャリアを観測することでページング信号を検出する。例えば、奇数番目のサブキャリアをそれぞれ異なるユーザに割り当てた場合、図２の例では１０人のユーザに対して呼び出しの制御を行うことができる。１ユーザ当たり２個以上のサブキャリアを割り当てることにより、ページング信号の検出精度を高めることもできる。例えば、１ユーザ当たり２個のサブキャリアを割り当てると、図２の例では５人のユーザに対して呼び出しの制御を行うことができる。
【００６２】
基地局に接続しているユーザをいくつかのグループに分けて、グループ毎に呼び出しを行うこともできる。この場合、グループ呼び出しを行うための信号は、ページング信号と区別するため、ページングインディケータ（ＰＩ）信号と呼ぶことにする。ＰＩ信号は、グループに属する少なくとも一人のユーザに呼び出しがあることを示す。ＰＩ信号の送信後、ページング信号を送信することによってユーザが呼び出される。すなわち、ＰＩ信号によって起動されたユーザは、ＰＩ信号に後続するページング信号を受信することにより、自分宛てに呼び出しがあったかを検出することができる。１グループのユーザ数を１０人とし、１グループ毎に２個のサブキャリアを割り当てた場合、図２の例では５０人のユーザに対して呼び出しを行うことができる。
【００６３】
受信側において受信信号からページング信号を検出するためには、同期用シンボルを用いてシンボルタイミングの同期と周波数の同期を行うことが必要となる。シンボルタイミング同期がとれていないと、ページング信号が含まれる同期用シンボルが受信信号のどこにあるのか分からないため、ページング信号を検出することができない。周波数同期がとれていないと、周波数方向に信号がシフトしてしまうため、近接する他のサブキャリアの信号を検出してしまう場合がある。シンボルタイミング同期と周波数同期がとれている信号にＦＦＴを施すことにより、サブキャリア毎の信号を正確に分離することができる。サブキャリア毎に分離された信号から、ユーザに割り当てられたサブキャリアに挿入されているページング信号を検出することができる。ユーザは割り当てられたサブキャリアを観測して、信号電力が検出された場合には呼び出しがあったとみなし、信号電力が検出されなかった場合には呼び出しがなかったとみなす。
【００６４】
このようにページング信号を検出するためには、前処理としてシンボルタイミング同期と周波数同期が必要となる。一般のセルラーシステムでは、ユーザはページング信号を定期的に確認し、自分宛の呼び出しがあるかどうか確認する。また、確認の結果として自分宛の呼び出しがなかった場合には、次の確認のタイミングまで端末を休止状態に移行して消費電力を下げる。すなわち、ページング信号の確認に要する時間が短いほど、呼び出しの確認に要する消費電力を削減でき、結果として待ち受け時間を長くできる。
【００６５】
前述した同期用シンボルは、シンボルタイミング同期用の信号と周波数同期用の信号及びページング用の信号の全てを含むことができる。従って、一つの同期用シンボルを受信するだけでシンボルタイミング同期と周波数同期及びページング用の各信号の検出を確認することができるため、同期用の信号とページング用の信号を別々のＯＦＤＭシンボルに挿入する方法と比べて、ページング信号の検出に要する時間を削減することができるという利点が得られる。
【００６６】
以下、低生起信号Ｌがページング信号である場合の受信機構成、同期用シンボルを含むフレーム構成及び受信シーケンスについて説明する。
【００６７】
図３４は、低生起信号Ｌがページング信号である場合の受信機の構成例であり、図５に示した受信機に対してフィルタ２２１、バッファ２２２、周波数オフセット補正部２２３及びページング信号検出部２２４が追加されている。
【００６８】
アンテナ２０１によって受信された信号は、無線部２０２によって増幅され、かつベースバンドアナログ信号に変換される。ベースバンドアナログ信号はアナログ−ディジタル変換器（ＡＤＣ）２０３によってベースバンドディジタル信号に変換される。ベースバンドディジタル信号は、フィルタ２０４、２０５、２０６及び２２１によってフィルタリングされる。
【００６９】
フィルタ２０６からの出力信号は、ＧＩ除去部２１０によりガードインターバルが除去された後、直並列変換器（Ｓ／Ｐ）２１１によりパラレル信号に変換される。直並列変換器２１１からの出力信号は高速フーリエ変換器（ＦＦＴ）２１２により周波数領域の信号に変換され、データ復調部２１３により復調される。
【００７０】
フィルタ２０５からの出力信号は、タイミング同期検出部２０８に入力される。タイミング同期検出部２０８は、同期用シンボルの期間にフィルタ２０５から入力される信号を用いてシンボルタイミングを検出する。具体的には、タイミング同期検出部２０８は同期用シンボルの繰り返し波形間の相関値を求め、相関値のピーク位置を使ってシンボルタイミングを検出する。同期用シンボルに挿入されている信号が既知信号であった場合には、既知信号を使ったマッチドフィルタの出力を使うことによってもシンボルタイミングを検出することができる。
【００７１】
タイミング同期検出部２０８により検出されたシンボルタイミングは、バッファ２０７、周波数同期検出部２０９及びバッファ２２２に与えられる。バッファ２０７では、タイミング同期の開始と共にデータのバッファリングを開始する。バッファ２０７には、フィルタ２０４からの出力信号が入力される。バッファ２０７は、フィルタ２０４からの入力信号の過去のある一定期間のデータをバッファリングする。一定期間とは、例えば同期用シンボル長でもよいし、処理遅延などの分の余裕を持たせて同期用シンボル長よりも少し長い時間であってもよい。
【００７２】
タイミング同期検出部２０８により検出されたシンボルタイミングでバッファ２０７内のデータの更新が停止されると共に、バッファ２０７に蓄えられたデータから同期用シンボルが抜き出されて周波数同期検出部２０９に入力される。周波数同期検出部２０９は、バッファ２０７から入力された同期用シンボルを使って周波数オフセットの検出（周波数オフセット量の推定）を行う。具体的には、周波数同期検出部２０９は同期用シンボルの中から繰り返し波形を抜き出し、繰り返し波形間の相関をとることによりキャリア周波数のオフセット量を推定する。こうして得られる周波数オフセット量の情報は、周波数オフセット補正部２２３に与えられる。
【００７３】
一方、バッファ２２２はタイミング同期の開始と共にデータのバッファリングを開始し、過去のある一定期間のデータを保持し続ける。バッファ２２２には、フィルタ２２１からの出力信号が入力される。タイミング同期検出部２０８により検出されたシンボルタイミングでバッファ２２２内のデータの更新が停止されると共に、バッファ２２２に蓄えられたデータから同期シンボルが抜き出されて、周波数オフセット補正部２２３に入力される。周波数オフセット補正部２２３では、周波数同期検出器２０９から与えられた周波数オフセット量の情報を用いて、バッファ２２２から入力された同期用シンボルの周波数オフセットの補正を行う。
【００７４】
周波数オフセットが補正された同期用シンボルは、ページング信号検出部２２４に入力される。ページング信号検出部２２４では、入力された同期用シンボルからページング信号を検出する。このようにしてシンボルタイミングの同期及び周波数の同期がとれた信号からページング信号を抜き出して検出し、呼び出しを検出することができる。
【００７５】
図３４中に示した４つのフィルタ２０４〜２０６及び２２１については、通過帯域が同じでよい場合には一つのフィルタを共有してもよい。帯域制限が必要でない場合には、これらのフィルタを省略してもよい。バッファ２０７及び２２２については、データを保持する期間が同じ場合には一つのバッファを共有することもできる。電源制御部２００は、後述するように無線部２０２及びディジタル部の一部の電源のオン／オフを制御するために設けられている。
【００７６】
（第１のフレーム構成及び受信シーケンス）  
次に、図３５及び図３６を用いて低生起信号Ｌがページング信号である場合のフレーム構成及び受信シーケンスについて説明する。図３５に示されるように、ＯＦＤＭ信号に低生起信号Ｌがページング信号である同期用シンボルが適宜挿入される。同期用シンボルの前後には、他のＯＦＤＭシンボルが挿入される。
【００７７】
次に、図３６を用いて受信シーケンスを説明すると、まず無線部２０２及びディジタル部の一部（例えば、図３４中のＡＤＣ２０３以降の要素）の電源を投入し、受信機が安定するまで待機する（ステップＳ１０１）。ステップＳ１０１の処理は、図３５中の期間Ｔ１１において行われる。一般の無線通信装置では、電源投入直後は動作が不安定であるため、ある程度の待機時間が必要となる。特に、キャリア周波数を決定するシンセサイザの出力周波数は、電源投入直後は振れている。このような不安定状態でシンボルタイミング同期及び周波数同期を行うと、シンボルタイミング同期の精度が低下し、また周波数同期の後でキャリア周波数が変わってしまう可能性がある。そのため、同期処理を開始するよりも前に、シンセサイザの出力周波数を安定化させる必要がある。
【００７８】
次に、図３５の一定期間Ｔ１２にわたり同期位置の検出を行い、またこれと並行して過去の一定期間のデータをバッファ２０７及び２２２に保持する（ステップＳ１０２）。ここで一定期間Ｔ１２は、あらかじめ分かっている情報から同期用シンボルが来ると予想される時間の前後を含むように設定される。ステップＳ１０３の結果、一定期間Ｔ１２において同期位置（シンボルタイミング）が検出されなかった場合（ステップＳ１０３の結果がＮＯの場合）には、無線部２０２及びディジタル部の一部の電源を落として休止状態に移行する（ステップＳ１１０）。
【００７９】
ステップＳ１０３でシンボルタイミングが検出された場合（ステップＳ１０３の結果がＹＥＳの場合）には、図３５の期間Ｔ１３においてステップＳ１０４〜Ｓ１０７の処理を行う。すなわち、ステップＳ１０３で検出された同期位置（シンボルタイミング）を基準として、バッファ２０７内のデータから同期用シンボルを抽出する（ステップＳ１０４）。抽出された同期用シンボルを使って、周波数オフセット量の検出（推定）を行う（ステップＳ１０５）。検出された周波数オフセット量を使用して同期用シンボルの周波数オフセットを補正し（ステップＳ１０６）、次にページング信号を検出する（ステップＳ１０７）。
【００８０】
ステップＳ１０７においてページング信号が検出されなかった場合（ステップＳ１０８の結果がＮＯの場合）には、無線部及びディジタル部の一部の電源を落として休止状態に移行する(ステップＳ１１０)。ページング信号が検出された場合（ステップＳ１０８の結果がＹＥＳの場合）には、図３５の期間Ｔ１４において無線通信を開始する（ステップＳ１０９）。なお、図３７に示されるように同期用シンボルは定期的に挿入されてもよい。
【００８１】
（第２のフレーム構成及び受信シーケンス）  
次に、図３８及び図３９を用いて低生起信号ＬがＰＩ信号である場合のフレーム構成及び受信シーケンスについて説明する。図３８に示されるように、ＯＦＤＭ信号に低生起信号がＰＩ信号である同期用シンボルが挿入される。前述したように、ＰＩ信号を使用した場合はＰＩ信号に続いてページング信号が必要となるため、図３８のように同期用シンボルの直後にページング信号を含むページング用シンボルを挿入している。
【００８２】
次に、図３９の受信シーケンスを説明すると、図３９のステップＳ２０１〜Ｓ２０６の処理は、図３６のステップＳ１０１〜Ｓ１０６の処理と同様である。すなわち、まず無線部２０２及びディジタル部の一部の電源を投入し、受信機が安定するまで待機する（ステップＳ２０１）。ステップＳ２０１の処理は、図３８中の期間Ｔ２１において行われる。次に、図３８の一定期間Ｔ２２にわたり同期位置の検出を行い、またこれと並行して過去の一定期間のデータをバッファ２０７及び２２２に保持する（ステップＳ２０２）。ここで一定期間Ｔ２２は、あらかじめ分かっている情報から同期用シンボルが来ると予想される時間の前後を含むように設定される。ステップＳ２０３の結果、一定期間Ｔ２２において同期位置（シンボルタイミング）が検出されなかった場合（ステップＳ２０３の結果がＮＯの場合）には、無線部２０２及びディジタル部の一部の電源を落として休止状態に移行する（ステップＳ２１３）。
【００８３】
ステップＳ２０３でシンボルタイミングが検出された場合（ステップＳ２０３の結果がＹＥＳの場合）には、図３５の期間Ｔ２３においてステップＳ２０４〜Ｓ２０７の処理を行う。すなわち、ステップＳ２０３で検出された同期位置（シンボルタイミング）を基準として、バッファ２０７内のデータから同期用シンボルを抽出する（ステップＳ２０４）。抽出された同期用シンボルを使って、周波数オフセット量の検出（推定）を行う（ステップＳ２０５）。検出された周波数オフセット量を使用して同期用シンボルの周波数オフセットを補正し（ステップＳ２０６）、次にＰＩ信号を検出する（ステップＳ２０７）。ステップＳ２０７においてＰＩ信号が検出されなかった場合（ステップＳ２０８の結果がＮＯの場合）には、無線部及びディジタル部の一部の電源を落として休止状態に移行する（ステップＳ２１３）。
【００８４】
ステップＳ２０７においてＰＩ信号が検出された場合（ステップＳ２０８の結果がＹＥＳの場合）には、図３８の期間Ｔ２４においてステップＳ２０９及びＳ２１０の処理を行う。すなわち、ステップＳ２０５で推定された周波数オフセット量を使用してページング用シンボルの周波数オフセットを補正し（ステップＳ２０９）、次にページング信号を検出する（ステップＳ２１０）。
【００８５】
ステップＳ２１０においてページング信号が検出されなかった場合（ステップＳ２１１の結果がＮＯの場合）には、無線部及びディジタル部の一部の電源を落として休止状態に移行する(ステップＳ２１３)。ページング信号が検出された場合（ステップＳ２１１の結果がＹＥＳの場合）には、図３８の期間Ｔ２５において無線通信を開始する（ステップＳ２１２）。
【００８６】
（第３のフレーム構成及び受信シーケンス）  
次に、図４０及び図４１を用いて低生起信号ＬがＰＩ信号である場合の他のフレーム構成及び受信シーケンスについて説明する。図４０に示されるように、ＯＦＤＭ信号に低生起信号がＰＩ信号である同期用シンボルが挿入される。図３８の例では同期用シンボルの直後にページング信号を含むページング用シンボルが挿入されているが、図４０の例では同期用シンボルとの間にブランク期間を空けてページング用シンボルが挿入されている。このブランク期間を利用して、シンセサイザの出力周波数の補正を行うことができる。
【００８７】
次に、図４１の受信シーケンスを説明すると、図４１のステップＳ３０１〜Ｓ３０６の処理は、図３６のステップＳ１０１〜Ｓ１０６の処理及び図３９のステップＳ２０１〜２０６とほぼ同様である。すなわち、まず無線部２０２及びディジタル部の一部の電源を投入し、受信機が安定するまで待機する（ステップＳ３０１）。ステップＳ３０１の処理は、図４１中の期間Ｔ３１において行われる。次に、図４１の一定期間Ｔ３２にわたり同期位置の検出を行い、またこれと並行して過去の一定期間のデータをバッファ２０７及び２２２に保持する（ステップＳ３０２）。ここで一定期間Ｔ３２は、あらかじめ分かっている情報から同期用シンボルが来ると予想される時間の前後を含むように設定される。ステップＳ３０３の結果、一定期間Ｔ３２において同期位置（シンボルタイミング）が検出されなかった場合（ステップＳ３０３の結果がＮＯの場合）には、無線部２０２及びディジタル部の一部の電源を落として休止状態に移行する（ステップＳ３１２）。
【００８８】
ステップＳ３０３でシンボルタイミングが検出された場合（ステップＳ３０３の結果がＹＥＳの場合）には、図４０の期間Ｔ３３においてステップＳ３０４〜Ｓ３０７の処理を行う。すなわち、ステップＳ３０３で検出された同期位置（シンボルタイミング）を基準として、バッファ２０７内のデータから同期用シンボルを抽出する（ステップＳ３０４）。抽出された同期用シンボルを使って、周波数オフセット量の検出（推定）を行う（ステップＳ３０５）。検出された周波数オフセット量を使用して同期用シンボルの周波数オフセットを補正し（ステップＳ３０６）、次にＰＩ信号の検出とキャリア周波数のオフセット補正を行う（ステップＳ３０７）。ステップＳ３０７においてＰＩ信号が検出されなかった場合（ステップＳ３０８の結果がＮＯの場合）には、無線部及びディジタル部の一部の電源を落として休止状態に移行する（ステップＳ３１２）。
【００８９】
シンセサイザの出力周波数の補正においては、出力周波数が収束するまでに一定の期間がかかり、その間は受信信号を正確に受信することができない。そこで、図４０に示される受信シーケンスでは、期間Ｔ３３を経てシンセサイザの出力周波数が補正により安定化してからページング用シンボルが到来するようにしている。
【００９０】
ステップＳ３０７においてＰＩ信号が検出された場合（ステップＳ３０８の結果がＹＥＳの場合）には、図４０の期間Ｔ３４においてページング用シンボルからページング信号を検出する（ステップＳ３０９）。図３９に示した受信シーケンスでは、ステップＳ２０６において周波数オフセットの補正が必要であったが、図４０の受信シーケンスではステップＳ３０７においてキャリア周波数（シンセサイザの出力周波数）を補正しているため、周波数オフセットの補正をしなくてもよい。
【００９１】
ステップＳ３０９においてページング信号が検出された場合（ステップＳ３１０の結果がＹＥＳの場合）には、図４０の期間Ｔ３５において無線通信を開始する（ステップＳ３１１）。
【００９２】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００９３】
【図１】本発明の一実施形態に係る無線通信装置に含まれる送信機のブロック図
【図２】同期用シンボルにおける信号−サブキャリア割り当てに関する第１の割り当て方式の基本例を説明する図
【図３】第１の割り当て方式の他の基本例を示す図
【図４】第１の割り当て方式の他の基本例を示す図
【図５】本発明の一実施形態に係る無線通信装置に含まれる受信機のブロック図
【図６】図１の送信機をより具体的に示すブロック図
【図７】第１の割り当て方式の具体例を示す図
【図８】第１の割り当て方式の具体例を示す図
【図９】第１の割り当て方式の具体例を示す図
【図１０】第１の割り当て方式の具体例を示す図
【図１１】第１の割り当て方式の具体例を示す図
【図１２】第１の割り当て方式の具体例を示す図
【図１３】第１の割り当て方式の具体例を示す図
【図１４】第１の割り当て方式の具体例を示す図
【図１５】第１の割り当て方式の具体例を示す図
【図１６】第１の割り当て方式の具体例を示す図
【図１７】同期用シンボルにおける信号−サブキャリア割り当てに関する第２の割り当て方式の基本例を示す図
【図１８】第２の割り当て方式の他の基本例を示す図
【図１９】第２の割り当て方式の他の基本例を示す図
【図２０】第２の割り当て方式の具体例を示す図
【図２１】第２の割り当て方式の具体例を示す図
【図２２】第２の割り当て方式の具体例を示す図
【図２３】第２の割り当て方式の具体例を示す図
【図２４】第２の割り当て方式の具体例を示す図
【図２５】同期用シンボルにおける信号−サブキャリア割り当てに関する第３の割り当て方式の基本例を示す図
【図２６】第３の割り当て方式の他の基本例を示す図
【図２７】第３の割り当て方式の具体例を示す図
【図２８】第３の割り当て方式の具体例を示す図
【図２９】第３の割り当て方式の具体例を示す図
【図３０】第３の割り当て方式の具体例を示す図
【図３１】第３の割り当て方式の具体例を示す図
【図３２】第３の割り当て方式の具体例を示す図
【図３３】図１の変形例に係る送信機のブロック図
【図３４】本発明の他の実施形態に係る無線通信装置に含まれる受信機のブロック図
【図３５】同期用シンボルを含むフレーム構成の第１の例を示す図
【図３６】図３６のフレーム構成に対応する受信シーケンスの例を示すフローチャート
【図３７】同期用シンボルを含むフレーム構成の第１の例の変形例を示す図
【図３８】同期用シンボルを含むフレーム構成の第２の例を示す図
【図３９】図３８のフレーム構成に対応する受信シーケンスの例を示すフローチャート
【図４０】同期用シンボルを含むフレーム構成の第３の例を示す図
【図４１】図４０のフレーム構成に対応する受信シーケンスの例を示すフローチャート
【符号の説明】
【００９４】
１０１・・・定常信号生成器；
１０２・・・低生起信号生成器；
１０３・・・信号−サブキャリア割当部；
１０４・・・逆高速フーリエ変換器；
１０５・・・並直列変換器；
１０６・・・ガードインターバル付加部；
１０７・・・ディジタル−アナログ変換器；
１０８・・・無線部；
１０９・・・アンテナ；
１１０・・・生起頻度制御部；
１１１・・・情報信号生成器；
１１２・・・既知信号生成器；
２００・・・電源制御部；
２０１・・・アンテナ；
２０２・・・無線部；
２０３・・・アナログ−ディジタル変換器；
２０４〜２０６・・・フィルタ；
２０７・・・バッファ；
２０８・・・タイミング同期検出部；
２０９・・・周波数同期検出部；
２１０・・・ガードインターバル除去部；
２１１・・・直並列変換器；
２１２・・・高速フーリエ変換器；
２１３・・・データ復調部；
２２１・・・フィルタ；
２２２・・・バッファ；
２２３・・・周波数オフセット補正部；
２２４・・・ページング信号検出部；
【図１】
0004533833.tif 000002
【図２】
0004533833.tif 000003
【図３】
0004533833.tif 000004
【図４】
0004533833.tif 000005
【図５】
0004533833.tif 000006
【図６】
0004533833.tif 000007
【図７】
0004533833.tif 000008
【図８】
0004533833.tif 000009
【図９】
0004533833.tif 000010
【図１０】
0004533833.tif 000011
【図１１】
0004533833.tif 000012
【図１２】
0004533833.tif 000013
【図１３】
0004533833.tif 000014
【図１４】
0004533833.tif 000015
【図１５】
0004533833.tif 000016
【図１６】
0004533833.tif 000017
【図１７】
0004533833.tif 000018
【図１８】
0004533833.tif 000019
【図１９】
0004533833.tif 000020
【図２０】
0004533833.tif 000021
【図２１】
0004533833.tif 000022
【図２２】
0004533833.tif 000023
【図２３】
0004533833.tif 000024
【図２４】
0004533833.tif 000025
【図２５】
0004533833.tif 000026
【図２６】
0004533833.tif 000027
【図２７】
0004533833.tif 000028
【図２８】
0004533833.tif 000029
【図２９】
0004533833.tif 000030
【図３０】
0004533833.tif 000031
【図３１】
0004533833.tif 000032
【図３２】
0004533833.tif 000033
【図３３】
0004533833.tif 000034
【図３４】
0004533833.tif 000035
【図３５】
0004533833.tif 000036
【図３６】
0004533833.tif 000037
【図３７】
0004533833.tif 000038
【図３８】
0004533833.tif 000039
【図３９】
0004533833.tif 000040
【図４０】
0004533833.tif 000041
【図４１】
0004533833.tif 000042